(57)【要約】【課題】業務の支障になることを極力防止してワークスペースに有効に設置可能な自立型のボード装置を提供する【解決手段】キャスタ１４ａ、１４ｂ、１４ｃにおいて自立させた構造体１にホワイトボード２を設けてなるボード装置Ｂであって、少なくとも一部のキャスタ１４ａはホワイトボード２から面外方向に変位した位置にあり、少なくともその支持部１４ａの略上方に、ボード装置ｂの一部として認識される認識部たる支柱１５を配した。【選択図】図１
2004175044.tif 000002
【特許請求の範囲】
【請求項１】
支持部において自立させた構造体に盤面を設けてなるボード装置であって、少なくとも一部の支持部は前記盤面から面外方向に変位した位置にあり、少なくともその支持部の略上方に、ボード装置の一部として認識される認識部を配したことを特徴とするボード装置。
【請求項２】
構造体が、盤面の下方に位置するベースフレームと、このベースフレームに接続され先端を前記一部の支持部を設けるために前記盤面から面外方向に変位した位置に持ち出した脚フレームとを具備するものであり、その脚フレームの先端側に認識部を設けている請求項１記載のボード装置。
【請求項３】
認識部が、構造体を構成する柱である請求項２記載のボード装置。
【請求項４】
支持部が床上を移動可能であり、柱が移動時の把手として機能する請求項３記載のボード装置。
【請求項５】
構造体が、盤面の下方に位置するベースフレームと、このベースフレームに接続され先端を前記一部の支持部を設けるために前記盤面から面外方向に変位した位置に持ち出した脚フレームとを具備するものであり、その脚フレームの先端部若しくは先端部近傍を通過する曲面に沿って認識部を設け、平面視において前記盤面を含む面と当該曲面との間に一部の支持部を内包するようにしている請求項１記載のボード装置。
【請求項６】
認識部が、盤面の背後を覆う幕状のものである請求項５記載のボード装置。
【請求項７】
一対の盤面がヒンジを介して連結されており、盤面同士を折り畳んだ状態で認識部の内側に構造体及び盤面をほぼ包み込めるようにしている請求項６記載のボード装置。
【請求項８】
構造体が、盤面の下方に位置するベースフレームと、このベースフレームに接続され先端を前記一部の支持部を設けるために前記盤面から面外方向に変位した位置に持ち出した脚フレームとを具備するものであり、その脚フレームに沿って前記支持部若しくはその近傍に至るまでの領域に認識部を配している請求項１記載のボード装置。
【請求項９】
認識部が、盤面の隣接位置に配置される補助盤面である請求項８記載のボード装置。
【請求項１０】
一対の盤面をヒンジを介して連結し、盤面同士を略面一に展開した使用位置から互いに向き合う収納位置に折り畳めるようにしたボード装置であって、両盤面の背後に隠蔽部材を設け、収納位置において両盤面を含むほぼ全ての構成要素を隠蔽部材の内側に包み込めるようにしたことを特徴とするボード装置。
【請求項１１】
隠蔽部材が、幕状のものである請求項１０記載のボード装置。
【請求項１２】
隠蔽部材が、可撓性のあるシート材である請求項１１記載のボード装置。
【請求項１３】
一対の盤面をヒンジを介して連結し、盤面同士を折り畳んで収納するようにしたボード装置であって、ヒンジの回転軸を、盤面上ないし盤面から僅かに法線方向へ持ち出した位置に設定していることを特徴とするボード装置。
【請求項１４】
一対の盤面は、使用位置で相隣接する端部同士を突き当てて少なくとも隙間なく面一に配置されるようにしている請求項１３記載のボード装置。
【請求項１５】
一対の盤面は、収納位置で当該ボード装置の一部において回転を規制して平面視ハの字状に折り畳まれるようにしている請求項１４記載のボード装置。
【請求項１６】
立体的に組まれたフレームに、可撓性があり一部に開口を有した袋状のシート材を被せることによって当該フレームの周囲に３次元的な面を形成するようにしたものであって、
フレームは、一部に湾曲部を備え、シート材は、前記開口を閉止する位置に閉止手段を備えており、これらの開口及び閉止手段は、当該開口を閉止する際にシート材のうちフレームの湾曲部に沿った部位にテンションを生じさせる位置に設定していることを特徴とする什器構造。
【請求項１７】
湾曲部は、フレームに対をなして存在し、それらは互いに離間する平行な面内にあって同方向へ凸状に湾曲するものであり、シート材の開口及び閉止手段は、湾曲部の凸側に沿う部位とは背向する凹側に沿う部位に設けてある請求項１６記載の什器構造。
【請求項１８】
立体的に組まれたフレームに、可撓性があり一部に開口を有した袋状のシート材を被せることによって当該フレームの周囲に３次元的な面を形成するようにしたものであって、
フレームは、互いに離間する平行な面内においてそれぞれ凸状に湾曲する対をなす湾曲部を有するものであり、シート材は、前記両湾曲部間を連絡する母線が当該湾曲部に沿って集合することにより曲面を形成してなるものであり、湾曲部間にあって前記フレームの両面に並行な中間面において少なくともシート材の湾曲方向に離間した２点を引寄せることで、その中間面にフレームの湾曲部よりも曲率の大きい湾曲した括れ部を形成したことを特徴とする什器構造。
【請求項１９】
中間面を挟んで母線方向に対向する２点間をも引寄せることで、フレームの湾曲部からシート材の括れ部に至る部位にテンションを加えてなる請求項１８記載の什器構造。
【請求項２０】
湾曲部を部分円弧状とし、外形を、括れ部を母線方向の略中間位置に有する概略鼓形状としている請求項１８又は１９記載の什器構造。
【発明の詳細な説明】
【０００１】
【発明の属する技術分野】
本発明は、ホワイトボード、パーティション、展示パネル、掲示板、スクリーンなどとして利用可能な自立形のボート装置に関するものである。
【０００２】
【従来の技術】
オフィスや展示場、教育施設等において、従来より自立形のホワイトボード、パーティションその他のボード装置が種々多様に利用されているのは周知のところである。
【０００３】
この種のボード装置は、例えば特許文献１に見られるように、左右に対をなす脚フレームを有し、この脚フレームにおいて構造体を自立させ、その構造体に盤面を設けるようにしたものが一般的であり、脚フレームの支持部は平面視において盤面から垂直な方向に突出して、盤面に十分な安定モーメントを付与するようにしている。
【０００４】
【特許文献１】
特開平１１−１１５３８０号公報（第３頁、第１図、第２図、第７図）
【０００５】
【発明が解決しようとする課題】
ところが、このようなものは、盤面及び構造体を含む各ボード構成部位のうち、脚フレーム以外の大半の構成部位は盤面を含む面内に収まり、脚フレームのみがその面から突出する。このため、歩行時などに目線に入る部分から認識されるボード装置の見かけ上扁平な体型にまどわされて、足元に広がる脚フレームに足をとられるなどの不具合が日常的に生じている。
【０００６】
また、この種のボード装置は、不使用時も一定場所を占有し続けるため、盤面が大きければ大きいほど、ワークスペースが非効率化していくという難点もある。
【０００７】
一方、開発や設計などの創造型の業務に携わる部門等では、業務環境が業務の成果と密接に関わっていることが一般に知られているため、レイアウトに趣向を凝らしたりオブジェを置くなどして、ワークスペースに変化をもたせ、イマジネーションを刺激する試みが従来より種々なされている。
【０００８】
しかしながら、これらを単独で採用するにはコスト面等で無駄が多く、周辺什器等とスペースの取り合いになるため、什器をうまく利用してオブジェのようなものを構成できれば便利である。
【０００９】
本発明は、以上のような課題に着目してなされたものであって、業務の支障になることを極力防止してワークスペースに有効に設置可能な自立型のボード装置を提供することを第１の目的としており、それに付随して、この種のボード装置等にインテリアやオブジェ等としての機能を簡単に付与できるようにした什器構造を新たに提案しようとするものである。
【００１０】
【課題を解決するための手段】
本発明は、以上のような目的を達成するために、次のような手段を講じたものである。
【００１１】
すなわち、本発明のボード装置は、支持部において自立させた構造体に盤面を設けてなるボード装置であって、少なくとも一部の支持部は前記盤面から面外方向に変位した位置にあり、少なくともその支持部の略上方に、ボード装置の一部として認識される認識部を配したことを特徴とする。
【００１２】
このようにすれば、歩行時に認識部が視認され、この認識部を含めたボード装置の空間的広がりは足元の支持部の広がりに対応することになる。このため、この認識部を避けて歩行しさえすれば、支持部に足をとられることを自ずと回避することができる。ここで、「面外方向」とは、前記盤面及び当該盤面を含む面から外れた方向のことを意味する。以下の説明においても同義である。また、例えば、少なくとも一部の支持部を、平面視において前記盤面を含む鉛直面から水平方向に変位した位置に設けているものであれば、盤面に十分な安定モーメントを付与することができる。
【００１３】
構造体が、盤面の下方に位置するベースフレームと、このベースフレームに接続され先端を前記一部の支持部を設けるために前記盤面から面外方向に変位した位置に持ち出した脚フレームとを具備する場合は、認識部の配置の一態様としては、その脚フレームの先端側に設けているものが挙げられる。
【００１４】
このような認識部としては、構造体を構成する柱などが好適である。
【００１５】
支持部が床上を移動可能である場合には、この柱が移動時の把手としての機能をも有していることが望ましい。
【００１６】
構造体が、盤面の下方に位置するベースフレームと、このベースフレームに接続され先端を前記一部の支持部を設けるために前記盤面から面外方向に変位した位置に持ち出した脚フレームとを具備する場合に、認識部の配置の他の一態様としては、その脚フレームの先端側を通過する曲面に沿って設けているものが挙げられる。この場合には、平面視において前記盤面を含む面と当該曲面との間に一部の支持部を内包するようにすれば、認識部が支持部の周辺にも立体的に広がるため、歩行者が異常に接近することを事前に回避して、本発明をより実効あるものにすることができる。
【００１７】
このような認識部としては、盤面の背後を覆う幕状のものが挙げられる。
【００１８】
特に、一対の盤面がヒンジを介して連結されているような場合は、盤面同士を折り畳んだ状態で認識部の内側に構造体及び盤面をほぼ包み込めるようにしておくことが望ましい。
【００１９】
また、構造体が、盤面の下方に位置するベースフレームと、このベースフレームに接続され先端を前記一部の支持部を設けるために鉛直面から変位した位置に持ち出した脚フレームとを具備する場合に、認識部の配置の上記以外の一態様としては、その脚フレームに沿って前記支持部若しくはその近傍に至るまでの領域に配しているものが挙げられる。このようなものであれば、認識部が脚フレームから支持体までの領域に対応しているので、これらに足をとられることを確実に回避することができる。しかも、認識部に平面的な広がりをもたせることができるので、その視認性を良好にすることができる。
【００２０】
このような認識部としては、盤面の隣接位置に配置される補助盤面などが好適である。
【００２１】
一方、ワーカーの邪魔にならない等の観点で上記発明と同様の目的を達成するものとして、一対の盤面をヒンジを介して連結し、盤面同士を略面一に展開した使用位置から互いに向き合う収納位置に折り畳めるようにしたボード装置において、両盤面の背後に隠蔽部材を設け、収納位置において両盤面を含むほぼ全ての構成要素を隠蔽部材の内側に包み込めるようにしておく構成も有用である。これは、上述した認識部を必ずしも前提としないものである。
【００２２】
このようにすれば、不使用時に盤面を小さく折り畳むことができる上に、隠蔽部材の内側に隠蔽してそれと悟られないようにすることができる。
【００２３】
特に、隠蔽部材は、幕状をなしていることが望ましい。
【００２４】
隠蔽部材にオブジェのような効果を容易に与えるためには、隠蔽部材に、可撓性のあるシート材を用いることが望ましい。
【００２５】
さらに、ワーカーの邪魔にならない等の観点で上記発明と同様の目的を達成するものとして、一対の盤面をヒンジを介して連結し、盤面同士を折り畳んで収納するようにしたボード装置において、ヒンジの回転軸を、盤面上ないし盤面から僅かに法線方向へ持ち出した位置に設定している構成も有用である。これも、上述した認識部を必ずしも前提としないものである。
【００２６】
このようにすれば、盤面同士が相互に干渉することなく開閉するために必要な構成と、盤面間に使用位置や収納位置で不必要な隙間が生じないようにするために必要な構成とを、好適に両立させることができる。
【００２７】
具体的な実施の態様としては、一対の盤面が使用位置で相隣接する端部同士を突き当てて少なくとも隙間なく面一に配置されるようにしているものや、一対の盤面が収納位置で当該ボード装置の一部において回転を規制して平面視ハの字状に折り畳まれるようにしているものが挙げられる。
【００２８】
他方、上記のようなボード装置を始めとする各種の自立形什器に、インテリアやオブジェ等としての機能を簡単に付与できるようにするための什器構造としては、立体的に組まれたフレームに、可撓性があり一部に開口を有した袋状のシート材を被せることによって当該フレームの周囲に３次元的な面を形成するものであって、フレームは、一部に湾曲部を備え、シート材は、前記開口を閉止する位置に閉止手段を備えており、これらの開口及び閉止手段は、当該開口を閉止する際にシート材のうちフレームの湾曲部に沿った部位にテンションを生じさせる位置に設定しているものが挙げられる。
このようにすれば、フレームにシート材を被せ、閉止手段によってシート材の開口を閉止するだけで湾曲した立体形状を形成することができるので、極めて簡素な部材を用い、平易な作業を通じて、意匠的な外観を有効に付与することができる。
特に、湾曲部は、フレームに対をなして存在し、それらは互いに離間する平行な面内にあって同方向へ凸状に湾曲するものであり、シート材の開口及び閉止手段は、湾曲部の凸側に沿う部位とは背向する凹側に沿う部位に設けてあることが望ましい。
【００２９】
また、上記のようなボード装置を始めとする各種の自立型什器に、インテリアやオブジェ等としての機能を簡単に付与できるようにするための他の手段としては、フレームに可撓性のあるシート材を被せることによって当該フレームの周囲に３次元的に湾曲した外形を形成するものであって、フレームを、互いに離間する平行な面内においてそれぞれ凸状に湾曲する対をなす湾曲部を有するものにするとともに、シート材を、前記両湾曲部間を連絡する母線が当該湾曲部に沿って集合することにより曲面を形成してなるものにし、湾曲部間にあって前記フレームの両面に並行な中間面において少なくともシート材の湾曲方向に離間した２点を引寄せることで、その中間面にフレームの湾曲部よりも曲率の大きい湾曲した括れ部を形成するようにしておくことが望ましい。
このようにすれば、フレームにシート材を被せ、そのシート材の一部を引っ張るだけで湾曲した立体形状を形成することができるので、極めて簡素な部材を用い、平易な作業を通じて、意匠的な外観を有効に付与することができる。
外観をより適切に整えるためには、中間面を挟んで母線方向に対向する２点間をも引寄せることで、フレームの湾曲部からシート材の括れ部に至る部位にテンションを加えておくことが望ましい。
【００３０】
具体的な実施の形態としては、湾曲部を部分円弧状とし、外形を、括れ部を母線方向の略中間位置に有する概略鼓形状としているものが挙げられる。
【００３１】
【発明の実施の形態】
以下、本発明の一実施形態を、図面を参照して説明する。
【００３２】
このボード装置Ｂは、図１〜７に示すように、構造体１と、盤面たる一対のホワイトボード２とから構成され、各ホワイトボード２を後述するヒンジ部Ｈ１、Ｈ２を介して連結し、ホワイトボード２同士を略面一に展開した使用位置Ｐと、ホワイトボード２を互いに向き合うように折り畳んだ収納位置Ｑとの間で操作可能に設定されたものである。
【００３３】
構造体１は、内方端同士を後述する第１ヒンジ部Ｈ１を介して連結された各々直線状をなす一対のベースフレーム１１ａ、１１ｂと、これらのベースフレーム１１ａ、１１ｂの各外方端に基端を接続され先端を前方かつ斜め外側方に延伸させた一対の第１脚フレーム１２と、前記各ベースフレーム１１の中間部よりもやや外よりの位置に基端を接続され先端を後方に向かって垂直に延伸させた一対の第２脚フレーム１３と、これら各脚フレーム１２、１３の先端下面及びベースフレーム１１ａの内方端近傍下面に設け床Ｆ上を移動可能である支持部たるキャスタ１４ａ、１４ｂ、１４ｃと、前記第１脚フレーム１２の先端上面にそれぞれ立設された一対の支柱１５と、前記ベースフレーム１１ａ（１１ｂ）及び第１脚フレーム１２を連ねた形状に略等しい形状をなし内方端同士を後述する第２のヒンジ部Ｈ２を介して相互に連結された一対の上部フレーム１６ａ、１６ｂとを具備し、これら上部フレーム１６ａ、１６ｂの外方端を前記支柱１５の上端に固定したものである。
【００３４】
ベースフレーム１１ａ（１１ｂ）及び第１脚フレーム１２は、実際には単一の角パイプ材を一部湾曲させて一体的に形成してあり、上部フレーム１６ａ（１６ｂ）も、同様に単一の角パイプ材を一部湾曲させて一体的に形成してある。なお、説明の便宜上、上記湾曲させた各領域及びその近傍をそれぞれ湾曲領域１２ｚ、１６ｚと称する。図８、図９に示すように、一方の上方フレーム１６ａの内方端には若干前方に湾曲して持ち出し、肉厚方向に貫通するボルト挿通孔１６ｅを有する薄板部１６ｃが上下方向の上半部に設けてあり、他方の上方フレーム１６ｂの内方端には略同様の外形を有し、ねじ孔１６ｆを設けた薄板部１６ｄが上下方向の下半部に設けてあり、これらを座金Ｗを挟んで重合させた状態で、薄板部１６ｃの上方からねじ挿通孔１６ｅ、座金Ｗに挿入したボルトＶをねじ孔１６ｆに締着し固定することによって、薄板部１６ｃ、１６ｄ間を連結し、前記第２ヒンジ部Ｈ２を構成している。また、一方のベースフレーム１１ａの内方端には若干前方に湾曲して前記薄板部１６ｃと略同様の形状を有する薄板部１１ｃが上下方向の上半部に設けてあり、他方のベースフレーム１１ｂの内方端には前記薄板部１６ｄと略同様の形状を有する薄板部１１ｄが上下方向の下半部に設けてあり、これらを重合させた状態で薄板部１１ｃ、１１ｄ間をボルトＶにより連結して前記第１ヒンジ部Ｈ１を構成している。この第１ヒンジ部Ｈ１及び第２ヒンジ部Ｈ２の各ボルトＶを、図８に図示するように、後述するホワイトボード２の面板２２の前面２ｃより若干前方の位置に取り付けるようにして、第１ヒンジ部Ｈ１及び第２ヒンジ部Ｈ２の回転軸Ａをホワイトボード２の前面２ｃから僅かに法線方向へ持ち出した位置に設定している。また、図５等に図示するように、ベースフレーム１１ａ、１１ｂの内方端近傍の底面に第１スクリーン支持部材Ｊを溶接等により一体的に設けるとともに、湾曲領域１２ｚ近傍の底面に第２スクリーン支持部材Ｋを溶接等により一体的に設けている。一方、上方フレーム１６ａ、１６ｂの内方端近傍の上面及び湾曲領域１６ｚ近傍の上面に、前記第１スクリーン支持部材Ｊ、前記第２スクリーン支持部材Ｋとそれぞれ略同形状の第１スクリーン取付部材Ｒ、第２スクリーン取付部材Ｓを溶接等により一体的に設けている。第１スクリーン取付部材Ｒは、平面視Ｌ字形状をなし、一端部を上方フレーム１６ａ、１６ｂより後方に持ち出して取付端Ｒ１を形成してなるものであり（図８等参照）、第２取付部材Ｓは、平面視略三角形状をなし、その一端部を上方フレーム１６の後方へ持ち出して取付端Ｓ１を形成してなるものである（図４等参照）。また、第１スクリーン支持部材Ｊ、第２支持部材Ｋは、前記各取付端Ｒ１、Ｓ１に略対応させてそれぞれ支持端（図示省略）を有している。
【００３５】
次に、ホワイトボード２について説明する。なお、ホワイトボード２は、前述のとおり左右に一対設けたものであり、以下、一のホワイトボード２について説明する。ホワイトボード２は、図５に想像線で示す枠体状をなすホワイトボードフレーム２１と、このホワイトボードフレーム２１の前面側に取り付けた矩形状の面板２２と、面板２２の下端近傍に配置されたマーカートレー２３ａとからなるもので、直線状をなす前記ベースフレーム１１ａの略全域にわたる上面にその下端を載置し、上端を前記上部フレーム１６ａの下面に密接に突き当てて適宜の手段で取り付けてある。面板２２の表面は、マーカー等により書き込み可能な筆記面であるとともに、映写スクリーンとしても兼用できるようにエンボス加工を施している。なお、他方のホワイトボード２に設けたマーカートレー２３ｂの高さ位置を、前記マーカートレー２３ａを配置した高さ位置よりも低い位置に設定し、前記ヒンジ部Ｈ１、Ｈ２を利用してボード装置Ｂを折り畳んだ収納位置Ｑにおいて、マーカートレー２３ａ、２３ｂが互いに干渉しないようにしている（図６参照）。
【００３６】
このように構成される本実施形態のボード装置Ｂは、構造体１がホワイトボード２を、その下方に位置するベースフレーム１１ａのキャスタ１４ｃのみで支持するのではなく、各脚フレーム１２、１３を介してホワイトボード２から面外方向に変位した位置に持ち出したキャスタ１４ａ、１４ｂによっても支持するようにしているため、ボード装置Ｂ全体に転倒しない自立性を有効に付与することができるものである。ここで、「面外方向」とは、四辺に囲まれたホワイトボード２及び当該ホワイトボード２を含む面から外れた方向のことを意味する。以下の説明においても同義である。
【００３７】
そして、本実施形態は、第１脚フレーム１１ａ、１１ｂの下端に配置している前記キャスタ１４ａの上方やその近傍、或いはホワイトボード２の背後を覆う位置に、本発明の認識部たる支柱１５、サイドパネル３（補助盤面）、スクリーン４をそれぞれ一対にして設けている。
【００３８】
支柱１５は、円筒状のものであり、構造体の一部としての役割を担う点は前述したところであるが、この支柱１５の取付位置を、前記ベースフレーム１１ａ、１１ｂの外方端ではなく前記第１脚フレーム１２の外方端に設定し、この支柱１５に本発明の認識部としての機能を付与している。
【００３９】
サイドパネル３は、前記ホワイトボードフレーム２１と略同じ高さ寸法を有するとともに、前記面板２２と略同じ厚み寸法を有する一枚の例えばスチール素材からなり、一方の側端を平断面視略半円弧状に折り曲げて形成した折曲壁３２と、前記湾曲領域１２ｚ、１６ｚの平面視に略対応する平断面視湾曲形状の湾曲壁３１とを有するものである（図４、図６参照）。このサイドパネル３は、他方の側端をホワイトボード２の側端に隙間なく突き当てるとともに、湾曲領域１２ｚの上面にその下端を載置し、上端を前記上部フレーム１６の湾曲領域１６ｚの下面に密接に突き当てて適宜の手段で取り付けられている。このように、サイドパネル３は、ホワイトボード２の隣接位置に配置され、後述するスクリーン４がホワイトボード３の側方から見えることを防止すると共に、マーカーが誤ってスクリーン４に接触することを防止する化粧面としても機能するものである。
【００４０】
スクリーン４は、ホワイトボード２の背後を覆うものであり、第２脚フレーム１３の先端部近傍を、第２脚フレーム１３を持ち出した鉛直方向と略直交する方向に通過する曲面に沿って配置されるものである。このスクリーン４は、立体的に組み込まれたスクリーンフレーム５と、一部に開口６１を有した袋状のシート材６とから構成されるものである。
【００４１】
スクリーンフレーム５は、図１０等に示すように、互いに離間する平行な面内において、それぞれ両側端よりも中央部を後方へ突出させて凸状に湾曲する平面視部分円弧状の下湾曲部５１及び上湾曲部５２と、各湾曲部５１、５２の両端をそれぞれ接続する一対の起立部５３とを一体的に組み込んだものである。下湾曲部５１は、このスクリーンフレーム５をホワイトボード２の背後に取り付けた取付状態において、中央部近傍が前記キャスタ１４ｂの先端より後方を通過するように曲面５１ｃの曲率が設定されている。一方、上湾曲部５２は、前記取付状態において、中央部近傍が前記キャスタ１４ｂの先端部を通過するように曲面５２ｃの曲率が設定されている（図４、図６参照）。
【００４２】
シート材６は、可撓性を有する素材からなり、スクリーンフレーム５を被覆し得る収容空間にスクリーンフレーム５を収容した収容状態において、スクリーンフレーム５の両湾曲部５１、５２間を連絡する母線ｍ（図２、図３参照）が両湾曲部５１、５２に沿って集合することにより曲面を形成してなるものである。なお、説明の便宜上、前記収容状態において各湾曲部５１、５２の凸側に沿う部位を表面６ａとし、表面６ａとは背向する凹側に沿う部位を裏面６ｂとする。このシート材６は、図１０、図１１に示すように、裏面６ｂに、上下方向にスクリーンフレーム５の起立部５３の高さ寸法より若干小さい寸法の切り込みを入れて形成した開口６１と、この開口６１の周縁に設けた同図に簡略化して示す閉止手段たるファスナー６２と、両湾曲部５１、５２の間にあってスクリーンフレーム５の両面に平行な図１１に想像線で示す中間面６ｃ上に、かつ開口６１の高さ方向略中間部からシート材６の湾曲方向に左右に離間した対置に設けた一対の例えば紐からなる第１括り部材６３と、中間面６ｃを挟んで高さ方向に対向するように開口６１の上下端部近傍に設けた例えば紐からなる一対の第２括り部材６４とを備えている。
【００４３】
次に、スクリーン４に湾曲した立体形状を形成する手順を説明する。先ず、シート材６をその可撓性を利用してスクリーンフレーム５に被せ、引き続いて、ファスナー６２を用いて開口６１を閉止するとシート材６の両湾曲部５１、５２に沿った部位にテンションが生じる。次いで、第１括り部材６３を互いに引き寄せるようにして括り合わせることにより、第１括り部材６３を設けた中間面６ｃ及びその近傍にテンションがかかり、中間面６ｃ及びその近傍に両湾曲部５１、５２よりも曲率の大きい湾曲した括れ部６５が形成される。さらに、第２括り部材６４を互いに引き寄せて括り合わせることにより、両湾曲部５１、５２からシート材６の括れ部６５に至る部位にテンションを加え、シート材６の表面６ａ全体の弛みや皺をなくすようにしている。このようにして、スクリーン４の外形を、括れ部６５を母線方向の略中間部位に有する概略鼓形状としている。
【００４４】
このような手順を経て湾曲した立体形状を形成したスクリーン４の、ホワイトボード２背後への取り付けは、下湾曲部５１の両端部を、前記第１スクリーン支持部材Ｊ、前記第２スクリーン部材Ｋの前記各支持端にそれぞれ適宜の手段で固定するようにして支持させるとともに、上湾曲部５２の両端部を、前記第１スクリーン取付部材Ｒ、前記第２スクリーン部材Ｓの前記各取付端Ｒ１、Ｓ１にボルトを介してそれぞれ固定するようにして行う。そして、このように取り付けた状態において、スクリーンフレーム５の下湾曲部５１の一端部がベースフレーム１１ａ、１１ｂの内方端近傍の背後に位置するとともに、他端部がサイドパネル３の背後に位置し、スクリーン５によってホワイトボード２及びサイドパネル３の背後を覆うように設定している。また、前記第２脚フレーム１３及びキャスタ１４ｂの上方をもスクリーン４により覆うようにして、平面視において、ホワイトボード２を含む鉛直面と下湾曲部５１の曲面５１ｃとの間に第２脚フレーム１３及びキャスタ１４ｂを内包するようにしている。また、このスクリーン４は、ボード装置Ｂを、ホワイトボード２が互いに向き合うように両ヒンジ部Ｈ１、Ｈ２を介して折り畳んだ前記収納位置Ｑにおいて、第１脚フレーム１２に設けたキャスタ１４ａ以外のほぼ全ての部材をスクリーン４の内側包み込めるように設定され、本発明の隠蔽部材としての機能をも兼備するものである。
【００４５】
このような構成を有するボード装置Ｂは、前記使用位置Ｐにおいて、各ホワイトボード２が、相隣接する側端同士を突き当ててほぼ隙間なく面一に配置されるとともに、前記収納位置Ｑにおいては、ホワイトボード２が平面視ハの字状になるように設定されている。なお、ボード装置Ｂを使用位置Ｐから収納位置Ｑへ折り畳む操作は、支柱１５を把手として利用することによって容易に行える。また、収納位置Ｑにおいては、第１脚フレーム１２の端部同士、或いはキャスタ１４ａ同士が当たることにより、それ以上の折り畳みを規制するようしてしている。
【００４６】
以上のように、本実施形態に係るボード装置Ｂは、キャスタ１４ａをホワイトボード２から面外方向に変位した位置に持ち出した第１脚フレーム１２の先端下面にキャスタ１４ａを設けるとともに、第１脚フレーム１２の先端上面にボード装置Ｂの一部として認識される認識部たる支柱１５を設けたものであるため、歩行時にキャスタ１４ａの位置に対応している支柱１５が視認され、この支柱１５を避けて歩行しさえすれば、キャスタ１４ａに足をとられることを簡素な構造で有効に回避することができる。また、認識部として支柱１５を用いているため、別途に認識用の専用部材を採用する必要がなく、部品点数の増加を有効に回避することができる。
【００４７】
特に、この支柱１５が移動時の把手としての機能をも有しているため、支柱１５はその位置にあることで認識部、把手といった複数の機能を兼用することになり、効率良い設計が可能となる。
【００４８】
また、第２脚フレーム１３の先端側を通過する略鉛直な曲面に沿って認識部たるスクリーン４を設け、平面視においてホワイトボード２を含む面と下湾曲部５１の曲面５１ｃとの間にキャスタ１４ｂを内包するようにしているので、スクリーン４がキャスタ１４ｂの周辺にも立体的に広がるため、歩行者が異常に接近することを事前に回避して、本発明をより実効あるものにすることができる。
【００４９】
特に、認識部として、ホワイトボード２の背後を覆うスクリーン４を採用しているため、形状を比較的容易に付与することができ、そのスクリーン４の形態に応じてオブジェの効果等も有効に付加することができる。
【００５０】
また、一対のホワイトボード２同士を両ヒンジ部Ｈ１、Ｈ２を介して折り畳んだ収納位置Ｑでスクリーン４の内側に構造体１及びホワイトボード２をほぼ包み込めるようにしているので、不使用時にホワイトボード２を好適に隠蔽することができ、スクリーン４の形状次第ではオブジェのような視覚効果を付与することも可能になる。
【００５１】
また、第１脚フレーム１２に沿ってキャスタ１４ａの近傍に至るまでの領域に認識部として機能するサイドパネル３を配置している。このように、サイドパネル３の配置領域が第１脚フレーム１２からキャスタ１４ａまでの領域に対応しているので、これらに足をとられることを確実に回避することができる。しかも、サイドパネル３に平面的な広がりをもたせることができるので、その認識部としての視認性を良好にすることができる。また、このサイドパネル３により、ホワイトボード２の側方を隠蔽する化粧面として機能させて外観を整えることも可能になる。
【００５２】
一方、前記スクリーン４が、収納位置Ｑにおいて両ホワイトボード２を含むほぼ全ての部材をスクリーン４の内側に包み込めるようにする隠蔽部材としても機能するため、不使用時にホワイトボード２を小さく折り畳むことができる上に、スクリーン４の内側に隠蔽してそれと悟られないようにすることができる。
【００５３】
また、各ヒンジ部Ｈ１、Ｈ２の回転軸Ａを、ホワイトボード２の表面２ｃから僅かに法線方向へ持ち出した位置に設定しているので、ホワイトボード２同士が相互に干渉することなく開閉するために必要な構成と、ホワイトボード２間に使用位置Ｐや収納位置Ｑで不必要な隙間が生じないようにするために必要な構成とを、好適に両立させることができる。
【００５４】
特に、一対のホワイトボード２が使用位置Ｐで相隣接する側端部同士を突き当ててほぼ隙間なく面一に配置されるようにするとともに、一対のホワイトボード２が収納位置Ｑで第１脚フレーム１２の端部同士、或いはキャスタ１４ａ同士が当たることにより一定以上の回転を規制して平面視ハの字状に折り畳まれるようにしているので、筆記面や映写用スクリーンなどの用途に耐える面精度を容易に確保することができるとともに、ホワイトボード２の面板２２に例えば図示しないマグネットやマグネット付きのイレーサ等を付けた状態のままであってもこれらが折り畳み時に干渉することを有効に回避することができる。また、マーカートレー２３ａ、２３ｂが面板２２から突出している場合であっても好適に収納することができる。
【００５５】
他方、スクリーンフレーム５が一対の湾曲部５１、５２を備え、シート材６は、開口６１を閉止する位置にファスナー６２を備え、これらの開口６１及びファスナー６２を、当該開口６１を閉止する際にシート材６のうち各湾曲部５１、５２に沿った部位にテンションを生じさせる位置に設定しているため、スクリーンフレーム５にシート材６を被せ、ファスナー６２によってシート材６の開口６１を閉止するだけで湾曲した立体形状を形成することができるので、極めて簡素な部材を用い、平易な作業を通じて、意匠的な外観を有効に付与することができる。
【００５６】
特に、開６１及びファスナー６２は、シート材６の裏面６ｂに設けているため、シート材６の表面６ａにテンションを効果的に付与することができる。
【００５７】
また、第１括り部材６３を利用して、スクリーンフレーム５の両面に並行な中間面６ｃにおいてシート材６の湾曲方向に離間した２点を引寄せることで、その中間面６ｃに各湾曲部５１、５２よりも曲率の大きい湾曲した括れ部６５を形成するようにしている。そのため、スクリーンフレーム５にシート材６を被せ、そのシート材６の一部を引っ張るだけで湾曲した立体形状を形成することができ、極めて簡素な部材を用い、平易な作業を通じて、意匠的な外観を有効に付与することができる。
【００５８】
さらに、第２括り部材６４を利用して、中間面６ｃを挟んで母線方向に対向する２点間をも引寄せることで、各湾曲部５１、５２から括れ部６５に至る部位にテンションを加えるようにしているため、シート材６の表面６ａ全体の弛みや皺をなくすことができ、外観をより適切に整えることができる。
【００５９】
具体的には、スクリーン５を、括れ部６５を母線方向の略中間位置に有する概略鼓形状としているので、簡単に作れてイマジネーションを刺激する造形の一つとすることができる。
【００６０】
なお、本発明は以上に述べた実施形態に限られない。
【００６１】
例えば、スクリーンの起立部の一方を回転軸とするとともに、他方の起立部を把手としてスクリーンを開閉動作可能に設定しているものであってもよい。この場合、スクリーンフレームの少なくとも底面に底板を取り付ければ、スクリーンを収納部として好適に使用することができる。
【００６２】
また、ホワイトボードは、鉛直姿勢に支持されるものに限らず、例えば、図１２に示すように、傾斜した姿勢に支持されるものや、鉛直姿勢と傾斜した姿勢とを適宜の操作により採り得るように設定されたものであっても構わない（同図中における符号１０２、２０２）。このようなホワイトボード１０２、２０２を適用した場合、「面外方向」とは、傾斜した各ホワイトボード１０２、２０２及び各ホワイトボード１０２、２０２を含む面から外れた方向のことを意味する。
【００６３】
また、盤面として、本実施形態におけるホワイトボードの代わりに、例えばチョーク等による書き込み可能なチョークボードやパーティション、展示パネル、掲示板等であっても構わない。
【００６４】
また、第１括り部材をシート材の高さ方向に複数箇所設けてもよい。この場合、当該各第１括り部材を括り合わせることにより、複数の括れ部が形成されることになり、シート材の可撓性を利用して種々の造形を容易に施すことができる。なお、括れ部を形成することなく、概略半円柱状としても勿論構わない。
【００６５】
また、スクリーンのシート材としては、袋状のものに限られず、例えば、幕状のものであっても構わない。このようなものであっても、その形状を適宜設定することによりホワイトボードの背後を好適に被覆することができる。
【００６６】
また、ヒンジ部の回転軸を、ホワイトボードの表面上に設定しているものでもよい。このようなものであれば、使用位置において両ホワイトボード間の隙間が生じることを有効に防ぐことができる。
【００６７】
その他の構成も、本発明の趣旨を逸脱しない範囲で種々変形が可能である。
【００６８】
【発明の効果】
以上説明したように本発明によれば、歩行時に認識部が視認され、この認識部を含めたボード装置の空間的広がりは足元の支持部の広がりに対応するため、このを避けて歩行しさえすれば、支持部に足をとられることを自ずと回避することができる。また、不使用時に盤面を小さく折り畳むことができる上に、隠蔽部材として機能するスクリーンの内側に隠蔽してそれと悟られないようにすることができる。さらに、盤面同士が相互に干渉することなく開閉するために必要な構成と、盤面間に使用位置や収納位置で不必要な隙間が生じないようにするために必要な構成とを、好適に両立させることができる。
【００６９】
また、本発明によれば、フレームにシート材を被せ、閉止手段によってシート材の開口を閉止するだけで湾曲した立体形状を形成することができ、極めて簡素な部材を用い、平易な作業を通じて、意匠的な外観を有効に付与することができる什器構造を提供することができる。
【図面の簡単な説明】
【図１】本発明の一実施形態に係るボード装置の使用位置における全体斜視図。
【図２】同実施形態に係るボード装置の使用位置における全体斜視図。
【図３】同実施形態に係るボード装置の収納位置における全体斜視図。
【図４】図１における平面図。
【図５】同図における正面図。
【図６】図３における平面図。
【図７】同図における正面図。
【図８】図４における一部を拡大して示す平面図。
【図９】図８におけるｘ−ｘ線断面図を一部省略して示す図。
【図１０】同実施形態におけるスクリーンを一部省略して示す分解斜視図。
【図１１】同実施形態におけるシート材の裏面を模式的に示す正面図。
【図１２】同実施形態の変形例を一部省略して模式的に示す側面図。
【符号の説明】
１…構造体
１１ａ、１１ｂ…ベースフレーム
１２…第１脚フレーム
１３…第２脚フレーム
１４ａ、１４ｂ、１４ｃ…支持部（キャスタ）
１５…柱（支柱）
２、１０２、２０２…盤面（ホワイトボード）
３…補助盤面（サイドパネル）
４…スクリーン
５…フレーム（スクリーンフレーム）
５１、５２…湾曲部（下湾曲部、上湾曲部）
６…シート材
６１…開口
６２…閉止手段（ファスナー）
６５…括れ部
６ａ…凸側に沿う部位（表面）
６ｂ…凹側に沿う部位（裏面）
Ｂ…ボード装置
Ｈ１、Ｈ２…ヒンジ（第１ヒンジ部、第２ヒンジ部）
ｍ…母線
【図１】
2004175044.tif 000003
【図２】
2004175044.tif 000004
【図３】
2004175044.tif 000005
【図４】
2004175044.tif 000006
【図５】
2004175044.tif 000007
【図６】
2004175044.tif 000008
【図７】
2004175044.tif 000009
【図８】
2004175044.tif 000010
【図９】
2004175044.tif 000011
【図１０】
2004175044.tif 000012
【図１１】
2004175044.tif 000013
【図１２】
2004175044.tif 000014